(57)【特許請求の範囲】
【請求項１】
本体部より小さい光源挿入用の開口部を有するカバー部材を備えた照明器具において、組込状態では、前記開口部より大形であって、少なくとも−部から透光可能な装飾部材が前記本体部内に内包されており、前記装飾部材は弾性力を有し、縮形させて前記開口部より挿入され、カバー部材の内部において形状が復元したものであり、前記装飾部材はカバー部材の内壁に当接或いは近接して姿勢又は形状の少なくともいずれかが維持されていることを特徴とする照明器具。
【請求項２】
光源と、光源を覆うカバー部材を有し、前記カバー部材は本体部と開口部とを備え、本体部の内部には空洞部があり、前記開口部は、前記空洞部と外部とを連通し、開口部の断面積が空洞部の断面積よりも小さい照明器具において、空洞部内に少なくとも−部から透光可能な装飾部材が設けられ、前記装飾部材は、圧縮可能であって且つ復元性を備えた素材で作られており、装飾部材は少なくともその一部が空洞部の内壁と当接或いは近接して姿勢又は形状の少なくともいずれかが維持されていることを特徴とする照明器具。
【請求項３】
装飾部材は全体が透明又は半透明であることを特徴とする請求項１又は２に記載の照明器具。
【請求項４】
装飾部材は孔又は肉厚の薄い部分を有し、当該部分によって透光性が発揮されていることを特徴とする請求項１又は２に記載の照明器具。
【請求項５】
カバー部材は内部が目視できないものであり、装飾部材の色はカバー部材の色と異なるものであることを特徴とする請求項１乃至４のいずれかに記載の照明器具。
【発明の詳細な説明】
【技術分野】
【０００１】
本発明は、透光カバーを有する照明器具に関するものである。本発明の照明器具は、例えば一般屋内の天井面、壁面、床面や、屋外の軒下、外壁などに設置される用途に利用することができ、さまざまな演出効果が可能な透光カバーを有する照明器具を提供するものである。
【０００２】
即ち本発明は、店舗や通路など一般屋内の天井面および壁面などに取付けて使用する透光カバーを有する照明器具であり、透光カバーの構造および演出効果に特徴を有するものに関する。
【背景技術】
【０００３】
ブラケットやシーリングなどの照明器具は、天井面や壁面に直付けまたは、器具取り付け部を取り付け面に埋め込んで施設される。照明器具は、光源（ランプ）とソケット、安定器、端子台など給電部材が固定された本体部および光源からの光を制御し、本体に固定されるカバー部材から構成される。カバー部材は、光の制御を行うため少なくとも一部に光を透過する部位を持つ。またカバー部材は、本体部に固定される係止部を有している。カバー部材の構造として、カバー部材の略中心位置に光源が位置し、カバー部材の略全面から光を透過・制御するグローブ状のものが主流であり、その開口部の断面形状は、カバー部材の本体部分より小さい。
【０００４】
ところで、光に変化を持たせるためにカバー部材の中に装飾物を入れる場合がある。従来技術においては、これらの装飾物は、金属、ガラス、硬質の樹脂等で作られており、変形しない。また復元性も持たない。また装飾物をカバー部材の中に入れるには、光源を挿入するための開口部から入れざるを得ない。そのため透過・制御する光に演出効果を与える場合は、特許文献１，２の様に、カバー部材の開口部より挿入可能な様に、装飾物は開口部より小さい部材に限られ、これをカバー部材の内部で固定したり、カバー部材の外面にこれらの部材を固定していた。
【特許文献１】特公平７−９７６６号公報
【特許文献２】実開平６−５８５０９号公報
【発明の開示】
【発明が解決しようとする課題】
【０００５】
従来技術の照明器具では、装飾部材の大きさや形状に制限があった。即ち従来技術の照明器具では、装飾物を光源を挿入するための開口から挿入せざるを得ず、装飾物は剛体であるから、前記した開口よりも大きなものは入らない。そのため従来技術の照明器具は、斬新な形状の装飾物を挿入することができず、デザイン上の制約があり、面白みに欠けるものであった。またカバー部材の略全面にわたり光を制御したいという要求があったが、これを実現することは困難であった。即ちカバー部材の略全面にわたり光を制御する場合には、カバー部材の内部に大きく広がる形状の装飾物を挿入する必要があったが、従来技術においては、単一の大きな装飾物をカバー部材の中に挿入することができなかったため、装飾物を細かく分割せざるを得なかった。そのため、カバー部材の略全面にわたり光を制御する場合には、複数の制御部材を開口より挿入して固定する必要があり、面倒であった。この様に、従来技術においては、実質上、カバー部材の一部のみの調光制御しかできなかった。
【０００６】
そこで本発明は、従来技術の上記した問題点に注目し、より大きな装飾物をカバー部材の中に挿入することが可能であり、カバー部材を透過する光による演出効果をカバーの略全面にわたって実現することもできる照明器具を提供することを目的とするものである。
【課題を解決するための手段】
【０００７】
そして上記した課題を解決するための請求項１に記載の発明は、本体部より小さい光源挿入用の開口部を有するカバー部材を備えた照明器具において、組込状態では、前記開口部より大形であって、少なくとも一部から透光可能な装飾部材が前記本体部内に内包されており、前記装飾部材は弾性力を有し、縮形させて前記開口部より挿入され、カバー部材の内部において形状が復元したものであり、前記装飾部材はカバー部材の内壁に当接或いは近接して姿勢又は形状の少なくともいずれかが維持されていることを特徴とする照明器具である。
【０００８】
本発明の照明器具では、装飾部材は弾性力を有し、縮形させることができる。そして本発明では、装飾部材を縮形させた状態で開口部から挿入され、カバー部材の内部において形状を復元させている。そのため装飾部材の大きさに制約が少ない。
【０００９】
また装飾部材は、カバー部材の内壁に当接或いは近接して姿勢又は形状の少なくともいずれかが維持されている。そのため装飾部材は安定した状態でカバー部材の中に収まる。
【００１０】
請求項２に記載の発明は、光源と、光源を覆うカバー部材を有し、前記カバー部材は本体部と開口部とを備え、本体部の内部には空洞部があり、前記開口部は、前記空洞部と外部とを連通し、開口部の断面積が空洞部の断面積よりも小さい照明器具において、空洞部内に少なくとも−部から透光可能な装飾部材が設けられ、前記装飾部材は、圧縮可能であって且つ復元性を備えた素材で作られており、装飾部材は少なくともその一部が空洞部の内壁と当接或いは近接して姿勢又は形状の少なくともいずれかが維持されていることを特徴とする照明器具である。
【００１１】
本発明の照明器具で採用する装飾部材は、圧縮可能である。そのため狭い開口から空洞部内に装飾部材を押し込むことができる。また前記した装飾部材は、復元性を備えているから、空洞内で元の形状に戻る。そのため空洞内においては正規の形状となる（内壁によって制限される場合は、内壁に沿った形状となる）。本発明で採用する装飾部材においても、カバー部材の内壁に当接或いは近接して姿勢又は形状の少なくともいずれかが維持されている。そのため装飾部材は安定した状態でカバー部材の中に収まる。
【００１２】
請求項３に記載の発明は、装飾部材は全体が透明又は半透明であることを特徴とする請求項１又は２に記載の照明器具である。
【００１３】
本発明で採用する装飾部材は、全体が透明又は半透明であるから透光性を有する。装飾部材を出た光は、柔らかみを帯びる。
【００１４】
また装飾部材に孔又は肉厚の薄い部分を設け、当該部分によって透光性が発揮される構成を採用してもよい（請求項４）。
【００１５】
請求項５に記載の発明は、カバー部材は内部が目視できないものであり、装飾部材の色はカバー部材の色と異なるものであることを特徴とする請求項１乃至４のいずれかに記載の照明器具である。
【００１６】
本発明で採用するカバー部材は内部が目視できないものである。そのため装飾部材の形状を直接観察することはできない。しかしながら内部の光源を点灯させると内部の装飾部材が透けてみえる。そのため本発明の照明器具は、点灯の有無によって外観形状が変化する。
【発明の効果】
【００１７】
本発明によれば、光の演出を行う装飾部材をカバー内部に固定する部材を要せず、組み立て性も良好であるとともに、装飾部材の形状、色、透過度合いによりカバー外面へ放射される光の演出を多様化することができる。
【００１８】
また、カバー部材の素材として透過性の低い有色部材とすることで、点灯時と非点灯時の外親を変化させることができる。
【発明を実施するための最良の形態】
【００１９】
以下、さらに本発明の実施形態について説明する。図１は、本発明の実施形態の照明器具の分解斜視図である。図２は、図１の照明器具の斜視図（光源は省略）である。図３は、図１の照明器具の断面斜視図（光源は省略）である。図４は、本発明の照明器具の組み立て手順を示す斜視図である。図５は、図２は、図１の照明器具を背面側から観察した斜視図（光源は省略）である。
【００２０】
図１に示す照明器具１は、本発明の実施形態の一つであり、住宅、店舗のほかアトリウムなどの施設空間に設置され，空間に明るさをもたらすとともに、空間内の装飾として用いられるブラケット照明であり、壁面に埋め込まれたボックスに設置される。本実施形態の照明器具１は、金属で成形された器具本体２と器具本体２の内部に固定されるソケット３、電線などの給電部材（図示せず）および、給電部材の固定金具６が固定されている。
【００２１】
また、器具本体２はボックスカバー８のネジ間（図示せず）の取り付け穴９に前方より挿入されて壁面１０に取り付けられる。器具本体２は、ボックスカバー８の取り付け穴９と合致するフランジ部１２を有している。器具本体２の背面側には、ボックスカバー８の取り付け穴９の形状より小さい円筒形部１５が設けられており、その中央より電線が露出しており、ボックス内にて電源線と結線される。器具本体２には光源１３が取り付けられている。光源１３は、白熱電球、蛍光灯、発光ダイオード等の公知のものである。
【００２２】
器具本体２の内側面に設けられた雌ネジ（図示せず）と、カバー部材２０の首部２２に設けられた雄ネジ２３によりカバー部材２０は器具本体２に固定される。カバー部材２０は本体部２１と首部２２によって構成されている。本体部２１の形状は、図の様に円筒形であり、周面部２５と頂部２６を有する。そして本体部２１の内部は空洞部２８となっている。首部２２は、前記した本体部２１よりも径が小さい。首部２２の先端は図５の様に開口している。開口部３０の内径ｄは、前記した本体部２１の空洞部２８の内径Dよりも小さい。従って開口部３０の断面積は、空洞部２８の断面積よりも小さい。
【００２３】
本実施形態においては、カバー部材２０の材質は透明ガラスであるが、有色ガラスまたは透過性のある樹脂であってもよい。
【００２４】
本実施形態の照明器具１では、カバー部材２０の空洞部２８内に装飾部材３５が内蔵されている。装飾部材３５は、本実施形態では、シリコンゴムで作られており、圧縮可能であって且つ復元性を備えている。即ち弾性力を有し、縮形させることができる。また装飾部材３５は、透光性がある。ここで言う透光性とは、透明又は半透明様な状態の他、スリガラスの様にぼんやりと光る程度のものも含む。
【００２５】
装飾部材３５の形状は、底辺がカバー部材２０の内壁の径よりやや小さい外径の円錐形状である。装飾部材３５は中空である。即ち装飾部材３５は周面だけを有し、底面は無い。装飾部材３５の底辺の直径は、首部２２の開口部３０の内径ｄよりも明らかに大きい。装飾部材３５は空洞部２８の内部において、頂部３６が本体部２１の内部の頂部２６と当接し、底面の周側が本体部２１の内部の周面部２５と当接し、底面部が本体部２１と首部２２の中間部分と当接している。そのため装飾部材３５は空洞部２８の中における姿勢が固定され、動かない。なお本実施形態では、多くの部位において装飾部材３５が本体部２１の空洞部２８と接する構造としたが、両者の間に僅かな隙間があっても実質的に装飾部材３５の姿勢は固定される。
【００２６】
図４に示す様に、前記した装飾部材３５は、照明器具１の組み立て前に外部において押し縮められ（図４（ａ））、組み立ての際には狭い開口部３０から空洞部２８内に押し込められる（図４（ｂ））。ここで装飾部材３５は、シリコンゴムで作られており、復元性を有しているから、空洞部２８内に入ると元の形状に戻る。その結果、図２，３，５に示すように装飾部材３５は、所定の位置で安定する。本実施形態の照明装置１を点灯すると、装飾部材３５の中で光源が光り、面白みがある。
【００２７】
また上記した実施形態では、カバー部材２０として透明なガラスで作られたものを例示したが、スリガラスの様に中身が見えないカバー部材２０を採用しても面白い視覚効果が得られる。即ちカバー部材２０としてスリガラスを採用すると、通常の状態（消灯時）においては、外部から装飾部材３５を目視することができない。ところが空洞部２８内で光源１３を点灯すると、装飾部材３５の表面が光り輝き、外部から装飾部材３５の形状が見える。即ち点灯することにより、装飾部材３５が浮かび上がる。特に、装飾部材３５の色とカバー部材２０色とを異ならせれば、点灯時に装飾部材３５がより鮮明に浮かび上がる。
【００２８】
次に、装飾部材の変形例について説明する。図６は、本発明の照明装置で採用可能な装飾部材の変形例を示す斜視図である。図７（ａ）は、本発明の照明装置で採用可能な装飾部材の他の変形例を示す斜視図であり、同（ｂ）は、同装飾部材をカバー部材に装着した状態を示す斜視図である。図８（ａ）は、本発明の照明装置で採用可能な装飾部材のさらに他の変形例を示す斜視図であり、同（ｂ）は、同装飾部材をカバー部材に装着した状態を示す斜視図である。
【００２９】
図６に示す装飾部材４０は、透光の程度が部位によって異ならせた例を示すものである。即ち図６に示す装飾部材４０は、全体が半透明の部材で作られた円錐形であるが、周部に多数の孔４１が設けられている。孔４１は、装飾部材４０の内外を連通するものであり、孔４１の部位は他の部位に比べて透光性が高い。
【００３０】
図７に示す装飾部材４３は、自然状態の形状と、カバー部材の中に挿入された時の形状が異なるものの例を示すものである。即ち図７に示す装飾部材４３は、自然状態では球形である。しかしながら装飾部材４３の外形は、カバー部材の空洞部よりも大きい。従って、装飾部材４３をカバー部材の中に挿入すると、周面が円筒状となり、頂部分だけが球形となる。
【００３１】
図８に示す装飾部材４５は円錐形であり、底面の直径はカバー部材の内径と等しいが、全長がカバー部材よりも長い。そのため装飾部材４５をカバー部材の中に挿入すると、先端部分が歪な形となる。
【００３２】
以上説明した実施形態では、カバー部材の形状はいずれも円筒形であったが、カバー部材の形状は任意であり、例えば球形や四角形、三角錐形であってもよい。
【図面の簡単な説明】
【００３３】
【図１】本発明の実施形態の照明器具の分解斜視図である。
【図２】図１の照明器具の斜視図（光源は省略）である。
【図３】図１の照明器具の断面斜視図（光源は省略）である。
【図４】本発明の照明器具の組み立て手順を示す斜視図であり、（ａ）は組み立て前の状態を表し、（ｂ）は組み立て中の状態を表す。
【図５】図２は、図１の照明器具を背面側から観察した斜視図（光源は省略）である。
【図６】本発明の照明装置で採用可能な装飾部材の変形例を示す斜視図である。
【図７】（ａ）は本発明の照明装置で採用可能な装飾部材の他の変形例を示す斜視図であり、（ｂ）は、同装飾部材をカバー部材に装着した状態を示す斜視図である。
【図８】（ａ）は、本発明の照明装置で採用可能な装飾部材のさらに他の変形例を示す斜視図であり、（ｂ）は、同装飾部材をカバー部材に装着した状態を示す斜視図である。
【符号の説明】
【００３４】
１  照明器具
１３  光源
２０  カバー部材
２１  本体部
２８  空洞部
３０  開口部
３５  装飾部材
４０  装飾部材
４３  装飾部材
４５  装飾部材
【図１】
0004577207.tif 000002
【図２】
0004577207.tif 000003
【図３】
0004577207.tif 000004
【図４】
0004577207.tif 000005
【図５】
0004577207.tif 000006
【図６】
0004577207.tif 000007
【図７】
0004577207.tif 000008
【図８】
0004577207.tif 000009